(57)【要約】【課題】良好な信号伝送が可能なコネクタ及びコネクタユニットを提供すること。【解決手段】雄コネクタ１２は、電源用コネクタピン２２と、信号用コネクタピン２３と、電源用コネクタピン２２の周囲を覆う雄側シールドシェル２７と、電源用コネクタピン２２及び信号用コネクタピン２３を支持し、且つ、電源用コネクタピン２２の周囲を覆う状態で雄側シールドシェル２７を支持するハウジング２１と、を備え、雌コネクタ１３は、電源線端子３８と、信号線端子４３と、電源線端子３８の周囲を覆う雌側シールドシェル４６と、電源線端子３８及び信号線端子４３を支持し、且つ、電源線端子３８の周囲を覆う状態で雌側シールドシェル４６を支持するハウジング３１と、を備える。【選択図】図５
2014032926.tif 000002
【特許請求の範囲】
【請求項１】
電源線に接続される電源端子と、
信号線に接続される信号端子と、
前記電源端子または前記信号端子の周囲を覆うシールドシェルと、
前記電源端子及び前記信号端子を支持し、且つ、前記電源端子または前記信号端子の周囲を覆う状態で前記シールドシェルを支持するハウジングと、
を備えることを特徴とするコネクタ。
【請求項２】
前記シールドシェルは、前記ハウジングに一体的に設けられていることを特徴とする請求項１に記載のコネクタ。
【請求項３】
前記電源端子または前記信号端子と前記シールドシェルとを備えたサブコネクタを備え、該サブコネクタが前記ハウジングに組み付けられることを特徴とする請求項１に記載のコネクタ。
【請求項４】
請求項１から３のいずれか一項に記載のコネクタが互いに嵌合されるコネクタユニットであって、
前記コネクタ同士を嵌合させることで、互いの前記電源端子及び前記信号端子が導通し、且つ、前記シールドシェル同士が導通することを特徴とするコネクタユニット。
【発明の詳細な説明】
【技術分野】
【０００１】
本発明は、電源線及び信号線に接続される多極の端子を備えるコネクタ及びコネクタユニットに関する。
【背景技術】
【０００２】
従来より、多極の端子を備えるコネクタとして、多極の端子全体をシールドケースで覆ったものが知られている（例えば、特許文献１〜４参照）。
【先行技術文献】
【特許文献】
【０００３】
【特許文献１】特開２００３−３０８９３１号公報
【特許文献２】特開２００５−３２６３０号公報
【特許文献３】特開２００７−１４１８７０号公報
【特許文献４】特許第３１０７１１９号公報
【発明の概要】
【発明が解決しようとする課題】
【０００４】
ところで、上記のような多極の端子全体をシールドカバーで覆ったコネクタでは、電源線及び信号線を端子に接続した場合、電流値の高い電源線に接続された端子から電磁ノイズが発生し、その電磁ノイズが電流値の低い信号線に接続された端子に伝搬してしまうため、信号の伝送に影響を与えていた。
【０００５】
本発明は、上述した事情に鑑みてなされたものであり、その目的は、良好な信号伝送が可能なコネクタ及びコネクタユニットを提供することにある。
【課題を解決するための手段】
【０００６】
前述した目的を達成するために、本発明に係るコネクタは、下記（１）〜（３）を特徴としている。
（１）  電源線に接続される電源端子と、
信号線に接続される信号端子と、
前記電源端子または前記信号端子の周囲を覆うシールドシェルと、
前記電源端子及び前記信号端子を支持し、且つ、前記電源端子または前記信号端子の周囲を覆う状態で前記シールドシェルを支持するハウジングと、
を備えること。
（２）  上記（１）の構成のコネクタにおいて、
前記シールドシェルは、前記ハウジングに一体的に設けられていること。
（３）  上記（１）の構成のコネクタにおいて、
前記電源端子または前記信号端子と前記シールドシェルとを備えたサブコネクタを備え、該サブコネクタが前記ハウジングに組み付けられること。
【０００７】
上記（１）の構成のコネクタでは、ハウジングに設けられたシールドシェルによって、電源端子または信号端子の周囲が覆われているので、電流値の高い電源線に接続される電源端子側で生じる電磁ノイズの信号端子側への伝搬を防止することができ、電流値の低い信号線に接続される信号端子での良好な信号伝送が可能となる。
上記（２）の構成のコネクタでは、シールドシェルをハウジングに一体的に設けたことで、組立作業性を大幅に向上させることができる。
上記（３）の構成のコネクタでは、電源端子または信号端子とシールドシェルとを備えたサブコネクタをハウジングに組み付ける構造としたので、組立作業性及び取り回し性の向上とともに、ハウジングの構造の簡略化による製造コストの低減を図ることができる。
【０００８】
また、上述した目的を達成するために、本発明に係るコネクタユニットは、下記（４）を特徴としている。
上記（１）から（３）のいずれかのコネクタが互いに嵌合されるコネクタユニットであって、
前記コネクタ同士を嵌合させることで、互いの前記電源端子及び前記信号端子が導通し、且つ、前記シールドシェル同士が導通すること。
【０００９】
上記（４）の構成のコネクタユニットでは、互いにコネクタを嵌合させると、互いの電源端子及び信号端子が導通し、且つ、シールドシェル同士が導通する。そして、互いに導通された電源端子または信号端子の周囲が、互いに導通されたシールドシェルによって覆われることとなり、電流値の高い電源線に接続される電源端子側で生じる電磁ノイズの信号端子側への伝搬を防止することができ、電流値の低い信号線に接続される信号端子での良好な信号伝送が可能となる。
【発明の効果】
【００１０】
本発明によれば、良好な信号伝送が可能なコネクタ及びコネクタユニットを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、第１実施形態に係るコネクタユニットの斜視図である。
【図２】図２は、第１実施形態に係るコネクタユニットの非嵌合状態での斜視図である。
【図３】図３は、第１実施形態に係るコネクタユニットの裏面側から視た非嵌合状態での斜視図である。
【図４】図４は、雄コネクタ及び雌コネクタの分解斜視図である。
【図５】図５は、非嵌合状態における雄コネクタ及び雌コネクタの断面図ある。
【図６】図６は、嵌合状態での雄コネクタ及び雌コネクタの断面図ある。
【図７】図７は、嵌合状態での雄コネクタ及び雌コネクタの内部の模式図である。
【図８】図８は、第２実施形態に係る雌コネクタの斜視図である。
【図９】図９は、雄コネクタ及び雌コネクタの分解斜視図である。
【図１０】図１０は、非嵌合状態での雄コネクタ及び雌コネクタの断面図ある。
【図１１】図１１は、変形例に係るコネクタユニットにおける非嵌合状態での雄コネクタ及び雌コネクタの断面図ある。
【発明を実施するための形態】
【００１３】
以下、本発明に係る実施の形態の例を、図面を参照して説明する。
（第１実施形態）
まず、第１実施形態に係るコネクタ及びコネクタユニットについて説明する。
【００１４】
図１は、第１実施形態に係るコネクタユニットの斜視図、図２、第１実施形態に係るコネクタユニットの非嵌合状態での斜視図、図３は、第１実施形態に係るコネクタユニットの裏面側から視た非嵌合状態での斜視図、図４は、雄コネクタ及び雌コネクタの分解斜視図、図５は、非嵌合状態における雄コネクタ及び雌コネクタの断面図、図６は、嵌合状態での雄コネクタ及び雌コネクタの断面図、図７は、嵌合状態での雄コネクタ及び雌コネクタの内部の模式図である。
【００１５】
図１から図３に示すように、本実施形態に係るコネクタユニット１１は、雄コネクタ（コネクタ）１２と雌コネクタ（コネクタ）１３とを備えており、これらの雄コネクタ１２と雌コネクタ１３とが互いに嵌合される。
【００１６】
図４及び図５に示すように、雄コネクタ１２は、基板実装タイプのコネクタである。この雄コネクタ１２は、合成樹脂から成形されたハウジング２１を備えており、このハウジング２１には、その両側部に、円柱状のガイドボス２６が形成され、また、両側部から後方へ向かって突出する固定片２９が形成されている。また、このハウジング２１には、雌コネクタ１３との接合側である前方側に、接合凹部２８が形成されている。
【００１７】
雄コネクタ１２は、複数の電源用コネクタピン（電源端子）２２及び複数の信号用コネクタピン（信号端子）２３を備えている。これらの電源用コネクタピン２２及び信号用コネクタピン２３は、幅方向に間隔をあけてハウジング２１の内部に収容されている。電源用コネクタピン２２は、Ｌ字状に屈曲されており、接合ピン部２２ａと固定ピン部２２ｂとを有している。同様に、信号用コネクタピン２３も、Ｌ字状に屈曲されており、接合ピン部２３ａと固定ピン部２３ｂとを有している。
【００１８】
雄コネクタ１２は、固定片２９の下部に固定されたアライメントプレート２４を備えている。このアライメントプレート２４には、複数のピン挿通孔２５が形成されており、これらのピン挿通孔２５に、電源用コネクタピン２２の固定ピン部２２ｂ及び信号用コネクタピン２３の固定ピン部２３ｂが挿入されている。これにより、電源用コネクタピン２２及び信号用コネクタピン２３が所定の位置に配列されている。
【００１９】
具体的には、電源用コネクタピン２２の固定ピン部２２ｂが雄コネクタ１２の後端側で１列に配列され、信号用コネクタピン２３の固定ピン部２３ｂが雄コネクタ１２の前端側で２列に配列されている。そして、アライメントプレート２４のピン挿通孔２５に挿入されてアライメントプレート２４の下面側から突出された電源用コネクタピン２２及び信号用コネクタピン２３の固定ピン部２２ｂ，２３ｂが、基板に形成されたスルーホールへ挿入されて半田付けされ、基板の導体パターンと導通される。
【００２０】
また、電源用コネクタピン２２は、その接合ピン部２２ａが雄コネクタ１２の上部側で１列に配列され、信号用コネクタピン２３の接合ピン部２２ａが雄コネクタ１２の下部側で２列に配列されている。そして、これらの電源用コネクタピン２２及び信号用コネクタピン２３の接合ピン部２２ａ，２３ａが、ハウジング２１内に配設され、その先端部が、ハウジング２１に形成された接合凹部２８内に配置されている。
【００２１】
雄コネクタ１２は、金属製の雄側シールドシェル（シールドシェル）２７を有している。この雄側シールドシェル２７は、前後が開口した角筒状に形成されており、インサート成形によってハウジング２１に一体的に設けられている。そして、この雄側シールドシェル２７によって、電源用コネクタピン２２の接合ピン部２２ａの端部及び端部近傍の周囲が覆われている。この雄側シールドシェル２７には、その両側部に、接続片２７ａを有しており、これらの接続片２７ａは、雄コネクタ１２が取り付けられる機器の筺体（図示略）にネジ止め等で固定される。これにより、雄側シールドシェル２７は、機器の筺体と導通される。
【００２２】
雌コネクタ１３は、合成樹脂から成形されたハウジング３１を備えている。このハウジング３１には、雄コネクタ１２との接合側に、嵌合凹部３２が形成されており、この嵌合凹部３２の縁部には、雄コネクタ１２との接合箇所を防水する防水パッキン３０が取り付けられる。このハウジング３１の嵌合凹部３２には、雄コネクタ１２との接合方向へ突出する接合凸部３３が設けられている。
【００２３】
ハウジング３１の接合凸部３３は、上段側が電源線端子収容部３４とされ、下段側が、信号線端子収容部３５とされている。電源線端子収容部３４には、ハウジング３１の幅方向に複数のキャビティ３６が形成されており、これらのキャビティ３６には、その後方側から、電源線３７が接続された電源線端子（電源端子）３８が挿し込まれて収容されている。信号線端子収容部３５には、取付穴３９が形成されており、この取付穴３９には、樹脂製のフロントホルダ４０が前面側から嵌め込まれている。
【００２４】
このフロントホルダ４０には、ハウジング３１の幅方向に複数のキャビティ４１が上下２段に配列されて形成されており、これらのキャビティ４１には、その後方側から、信号線４２が接続された信号線端子（信号端子）４３が挿し込まれて収容されている。また、取付穴３９には、その後方側からマットシール４４及びマットシールカバー４５が順に嵌め込まれており、これらのマットシール４４及びマットシールカバー４５によって、信号線端子４３が収容されたキャビティ４１が防水されている。
【００２５】
雌コネクタ１３は、金属製の雌側シールドシェル（シールドシェル）４６を有している。この雌側シールドシェル４６は、前後が開口した角筒状に形成されており、インサート成形によってハウジング３１の電源線端子収容部３４に一体的に設けられている。そして、この雌側シールドシェル４６によって、キャビティ３６に収容された電源線端子３８の周囲が覆われている。
【００２６】
また、雌側シールドシェル４６には、その後方側から、金属製の後部シールドシェル４７が取り付けられており、この後部シールドシェル４７が雌側シールドシェル４６と導通されている。この後部シールドシェル４７の後端には、電源線引出穴４８が形成されており、これらの電源線引出穴４８から、電源線端子３８に接続された電源線３７が引き出される。これらの電源線引出穴４８には、カシメリング４９が加締められ、よって、電源線３７に設けられたシールド層を構成する編組導体が後部シールドシェル４７に固定されて導通される。
【００２７】
また、雌コネクタ１３のハウジング３１には、レバー５１が取り付けられている。このレバー５１は、ハウジング３１の両側部に配置される係止板部５２と、これらの係止板部５２を連結する連結板部５３とを有している。レバー５１の係止板部５２には、ハウジング３１の両側面に形成された回動軸５４が挿通された孔部５５が形成されており、レバー５１は、係止板部５２の孔部５５に回動軸５４が挿通されることで、ハウジング３１に対して回動軸５４の軸線を中心として回動可能に支持されている。また、係止板部５２の内面側には、雄コネクタ１２のハウジング２１の両側部に形成されたガイドボス２６を係止するカム溝５６が形成されている。このカム溝５６は、その一端側が開放されてガイドボス２６が挿入可能とされており、他端に向かって次第に孔部５５側へ変位されている。
【００２８】
上記構成の雄コネクタ１２と雌コネクタ１３とを接続させるには、雄コネクタ１２に対して雌コネクタ１３を近接させ、雄コネクタ１２のハウジング２１の端部を雌コネクタ１３のハウジング３１の嵌合凹部３２に嵌合させる。このようにすると、図６に示すように、雌コネクタ１３の接合凸部３３が雄コネクタ１２の接合凹部２８に入り込む。すると、雄コネクタ１２の電源用コネクタピン２２の接合ピン部２２ａが雌コネクタ１３の電源線端子３８に接続されて導通し、雄コネクタ１２の信号用コネクタピン２３の接合ピン部２３ａが雌コネクタ１３の信号線端子４３に接続されて導通する。
【００２９】
また、雄コネクタ１２の雄側シールドシェル２７に、雌コネクタ１３の雌側シールドシェル４６が嵌合し、雄側シールドシェル２７と雌側シールドシェル４６とが互いに導通する。これにより、図７に示すように、電源用コネクタピン２２の接合ピン部２２ａと電源線端子３８とが、互いに導通された雄側シールドシェル２７、雌側シールドシェル４６及び後部シールドシェル４７によって覆われてシールドされた状態となる。
【００３０】
この状態で、雌コネクタ１３のレバー５１を回動させる。すると、レバー５１の係止板部５２に形成されたカム溝５６に入り込んだガイドボス２６が、レバー５１の回動に伴ってカム溝５６内を移動することとなり、よって、ガイドボス２６が孔部５５側へ引き寄せられる。つまり、レバー５１の回動によって、雌コネクタ１３が雄コネクタ１２側へ引き寄せられ、よって、雄コネクタ１２と雌コネクタ１３とが容易にかつ確実に嵌合され、その嵌合状態が維持される。
【００３１】
このように、第１実施形態に係るコネクタ及びコネクタユニットによれば、雄コネクタ１２においては、ハウジング２１に設けられた雄側シールドシェル２７によって、電源用コネクタピン２２の接合ピン部２２ａの周囲が覆われ、雌コネクタ１３においては、ハウジング３１に設けられた雌側シールドシェル４６によって、電源線端子３８の周囲が覆われている。したがって、電流値の高い電源線３７（例えば、電流値６．２Ａ）に接続される電源用コネクタピン２２及び電源線端子３８側で生じる電磁ノイズの信号用コネクタピン２３及び信号線端子４３側への伝搬を防止することができ、電流値の低い信号線４２（例えば、電流値１．０Ａ以下）に接続される信号用コネクタピン２３及び信号線端子４３での良好な信号伝送が可能となる。
【００３２】
また、雄側シールドシェル２７をハウジング２１にインサート成形によって一体的に設け、雌側シールドシェル４６をハウジング３１にインサート成形によって一体的に設けたことで、別体の雄側シールドシェル２７及び雌側シールドシェル４６をハウジング２１，３１へ組み付ける場合と比較して、組立作業性を大幅に向上させることができる。
【００３３】
（第２実施形態）
次に、第２実施形態に係るコネクタ及びコネクタユニットを説明する。
なお、第１実施形態と同一構成部分は、同一符号を付して説明を省略する。
【００３４】
図８は、第２実施形態に係る雌コネクタの斜視図、図９は、雄コネクタ及び雌コネクタの分解斜視図、図１０は、非嵌合状態での雄コネクタ及び雌コネクタの断面図ある。
【００３５】
図８から図１０に示すように、第２実施形態に係るコネクタユニット１１Ａでは、サブコネクタ６１を有する雌コネクタ１３Ａを備えている。この雌コネクタ１３Ａを構成するハウジング３１には、サブコネクタ収容穴６２が形成されており、このサブコネクタ収容穴６２には、ハウジング３１の後方側からサブコネクタ６１が挿し込まれて組み付けられる。これにより、サブコネクタ６１が、ハウジング３１の接合凸部３３の上段に配置される。
【００３６】
サブコネクタ６１は、複数のキャビティ６３が形成されたサブハウジング６４を備えており、このサブハウジング６４のキャビティ６３に、電源線端子３８が収容されている。このサブハウジング６４は、その周囲が金属製の雌側シールドシェル（シールドシェル）６５で覆われている。また、雌側シールドシェル６５には、その後方側からマットシール６６及びマットシールカバー６７が順に嵌め込まれており、これらのマットシール６６及びマットシールカバー６７によって、電源線端子３８が収容されたサブハウジング６４のキャビティ６３が防水されている。また、雌側シールドシェル６５の後部には、後部シールドシェル４７が取り付けられている。
【００３７】
このような構成の雌コネクタ１３Ａを備えたコネクタユニット１１Ａの場合も、雄コネクタ１２においては、ハウジング２１に設けられた雄側シールドシェル２７によって、電源用コネクタピン２２の接合ピン部２２ａの周囲が覆われ、雌コネクタ１３Ａにおいては、サブコネクタ６１の雌側シールドシェル６５によって、電源線端子３８の周囲が覆われている。したがって、電流値の高い電源線３７に接続される電源用コネクタピン２２及び電源線端子３８側で生じる電磁ノイズの信号用コネクタピン２３及び信号線端子４３側への伝搬を防止することができ、電流値の低い信号線４２に接続される信号用コネクタピン２３及び信号線端子４３での良好な信号伝送が可能となる。
【００３８】
また、このコネクタユニット１１Ａでは、雌コネクタ１３Ａが、電源線端子３８を収容し、その周囲を雌側シールドシェル６５と後部シールドシェル４７とでシールドしたサブコネクタ６１をハウジング３１へ組み付ける構造であるので、組立作業性及び取り回し性の向上とともに、ハウジング３１の構造の簡略化を図ることができ、製造コストの低減を図ることができる。
【００３９】
なお、上記実施形態では、電源側をシールドすることで、電源側で生じる電磁ノイズの信号側への伝搬を防止したが、信号側をシールドすることで、電源側で生じる電磁ノイズの信号側への伝搬を防止しても良い。
【００４０】
図１１に示すものは、信号側をシールドしたコネクタユニット１１Ｂである。具体的には、このコネクタユニット１１Ｂでは、雄コネクタ１２のハウジング２１に設けられた雄側シールドシェル２７によって、信号用コネクタピン２３の接合ピン部２３ａの端部及び端部近傍の周囲が覆われている。また、雌コネクタ１３のハウジング３１に設けられた雌側シールドシェル４６によって、キャビティ４１に収容された信号線端子４３の周囲が覆われ、この雌側シールドシェル４６の後端に、後部シールドシェル４７が取り付けられている。
【００４１】
このように、雄側シールドシェル２７、雌側シールドシェル４６及び後部シールドシェル４７によって信号側をシールドしたコネクタユニット１１Ｂの場合では、雄コネクタ１２においては、ハウジング２１に設けられた雄側シールドシェル２７によって、信号用コネクタピン２３の接合ピン部２３ａの周囲が覆われ、雌コネクタ１３においては、ハウジング３１に設けられた雌側シールドシェル４６によって、信号線端子４３の周囲が覆われている。したがって、電流値の高い電源線３７に接続される電源用コネクタピン２２及び電源線端子３８側で生じる電磁ノイズの信号用コネクタピン２３及び信号線端子４３側への伝搬を防止することができ、電流値の低い信号線４２に接続される信号用コネクタピン２３及び信号線端子４３での良好な信号伝送が可能となる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４３】
１１，１１Ａ，１１Ｂ  コネクタユニット
１２  雄コネクタ（コネクタ）
１３，１３Ａ  雌コネクタ（コネクタ）
２１，３１  ハウジング
２２  電源用コネクタピン（電源端子）
２３  信号用コネクタピン（信号端子）
２７  雄側シールドシェル（シールドシェル）
３７  電源線
３８  電源線端子（電源端子）
４２  信号線
４３  信号線端子（信号端子）
４６，６５  雌側シールドシェル（シールドシェル）
６１  サブコネクタ
【図１】
2014032926.tif 000003
【図２】
2014032926.tif 000004
【図３】
2014032926.tif 000005
【図４】
2014032926.tif 000006
【図５】
2014032926.tif 000007
【図６】
2014032926.tif 000008
【図７】
2014032926.tif 000009
【図８】
2014032926.tif 000010
【図９】
2014032926.tif 000011
【図１０】
2014032926.tif 000012
【図１１】
2014032926.tif 000013